(57)【要約】アラミド系エレベータロープ用の終端装置は、くさびおよびロープを受け入れるようになっているテーパ状内部通路を有するソケットを備える。該通路は、第１および第２の半円筒状ロープ係合面を有する。くさびは、可変の曲率半径を有する周溝を有する。当該装置は、くさびの直線部およびソケットのロープ係合面間のロープを、ロープの断面にほぼ均一な力をかけることにより締め付ける。
2006515553.tif 000002
【特許請求の範囲】
【請求項１】
アラミド系エレベータロープ用の終端装置（termination device）であって、
後部開口から前部開口にかけて延びる長手方向テーパ状通路を有するソケットであって、該通路は、互いに近づいている第１および第２の半円筒状ロープ係合面と該ロープ係合面間の横壁とにより画定される、ソケットと、
前記テーパ状通路内に配置されるとともに該通路とほぼ同じ形状を有するくさびであって、大端、小端、ならびに該大端および該小端間に第１および第２の直線部を有する、くさびとを備え、
前記くさびは、周りにロープを受け入れる周溝を含み、前記小端を越えてライブ端（live end：接続端）およびデッド端（dead end：末端）を形成しており、
前記周溝は可変の曲率半径を有する、アラミド系エレベータロープ用の終端装置。
【請求項２】
前記第１および第２の半円筒状ロープ係合面は、一定の曲率半径を有する、請求項１に記載のアラミド系エレベータロープ用の終端装置。
【請求項３】
前記ソケットの前記第１の半円筒状ロープ係合面および前記くさびの前記第１の直線部は、前記ロープの第１の長さを受け入れる、長円形の断面を有する第１の通路を画定し、
前記ソケットの前記第２の半円筒状ロープ係合面および前記くさびの前記第２の直線部は、前記ロープの第２の長さを受け入れる、長円形の断面を有する第２の通路を画定し、
前記くさびの前記大端の前記周溝は、前記ロープの前記第１の長さおよび前記第２の長さ間のループになった部分を受け入れる、請求項２に記載のアラミド系エレベータロープ用の終端装置。
【請求項４】
前記第１の通路は、前記ロープの前記第１の長さの前記断面に一定の力を加える、請求項３に記載のアラミド系エレベータロープ用の終端装置。
【請求項５】
前記第２の通路は、前記ロープの前記第２の長さの前記断面に一定の力を加える、請求項４に記載のアラミド系エレベータロープ用の終端装置。
【請求項６】
前記くさびの前記小端は、前記周溝に沿って前記直線部および前記小端間に丸み縁を有し、前記小端は前記通路の前記前部開口の外に延びる、請求項５に記載のアラミド系エレベータロープ用の終端装置。
【請求項７】
前記ソケットは、エレベータ昇降路内の固定点に該装置を取り付ける締結具を有する、請求項６に記載のアラミド系エレベータロープ用の終端装置。
【請求項８】
前記締結具は支持ロッドである、請求項７に記載のアラミド系エレベータロープ用の終端装置。
【請求項９】
前記テーパ状通路の前記第１および第２のロープ係合面は研磨されている、請求項８に記載のアラミド系エレベータロープ用の終端装置。
【請求項１０】
前記くさびの前記周溝は研磨されている、請求項９に記載のアラミド系エレベータロープ用の終端装置。
【請求項１１】
前記くさびは研磨されている、請求項１０に記載のアラミド系エレベータロープ用の終端装置。
【発明の詳細な説明】
【技術分野】
【０００１】
［発明の分野］
本発明は、包括的にエレベータシステムの分野に関し、より詳細には、アラミド系エレベータロープ用の終端装置に関する。
【０００２】
［発明の背景］
トラクションエレベータシステムは典型的に、かご（cab）、釣り合い錘、かごと釣り合い錘を相互接続する１本または複数本のロープ、ロープ（複数可）を移動させるトラクションシーブ、およびトラクションシーブを回転させるモータを備える。エレベータロープは従来、鋼撚り（laid or twisted）線を含み、シーブは鋳鉄から形成される。
【０００３】
従来の鋼ロープおよび該ロープを移動させる鋳鉄シーブには、それらの使用の際、いくつかの特定の制約（limitation：限界）がある。かかる制約の１つは、ロープおよびシーブ間の牽引力である。大径を有する駆動シーブは、ロープがシーブから滑り落ちることなくシステム内で構成部材を移動させるのに要する牽引を得ることを必要とする場合が多い。鋼ロープの使用に関する別の制約は、鋼線ロープの可撓性および疲労特性である。鋼ケーブルに関連した問題を克服するアラミド系ロープが開発されている。しかしながら、従来の終端装置は、アラミド系ロープと併用しやすくはなっていない。アラミド系ロープは、かかる装置からスリップして外れやすく、その結果、危険な状況となる可能性がある。
【０００４】
したがって、アラミド系エレベータロープに対応することができる終端装置が必要とされている。
【０００５】
［発明の概要］
本発明は、アラミド系エレベータロープ用の終端装置を提供する。終端装置は、後部開口から前部開口にかけて延びる長手方向テーパ状通路を有するソケットを備える。この通路は、第１および第２の半円筒状ロープ係合面と該ロープ係合面間の横壁とにより画定される。ロープ係合面は、通路のテーパを画定するよう互いに近づいている。通路の内部は、研磨されていることが好ましい。
【０００６】
ソケットのテーパ状通路内にはロープを保持するくさびが配置される。通路とほぼ同じ形状であるこのくさびは、大端、小端、ならびに大端および小端間に第１および第２の直線部を有する。くさびは、周りにロープを受け入れる周溝を含む。ロープがくさびの周りに嵌まり、くさびがテーパ状通路に押し込まれると、ロープは、ロープのライブ（接続）端およびロープのデッド（末）端がくさびの両側から通路の前部開口端の外に延びるようにくさびの周りに通される。ロープのライブ（接続）端はエレベータシステム内の別の構成部材（例えばエレベータかごまたは釣り合い錘）に接続されるが、ロープのデッド（末）端は荷重を受けない。くさびは、その構造的一体性を維持する任意の材料から形成され、ロープをスリップさせることなく装置に固定したままにしておくことができる。くさびは、研磨された鋼から構成されることが好ましい。
【０００７】
くさびの周溝は、可変の曲率半径を有する。溝は、ロープがくさびとソケットの間に固定されるとアラミドロープのうち溝と接触する部分の形状に類似していることが好ましい。
【０００８】
好適な一実施形態では、ソケットの第１および第２の半円筒状ロープ係合面は、一定の曲率半径を有する。この実施形態では、ソケットの第１の半円筒状ロープ係合面およびくさびの第１の直線部が、長円形の断面を有する第１の通路を画定する。同様に、ソケットの第２の半円筒状ロープ係合面およびくさびの第２の直線部が、長円形の断面を有する第２の通路を画定する。ライブ（接続）端からのロープの第１の長さは、第１の通路内を通る。ロープは次いで、くさびの大端の周りに周溝内でループとなり、ロープの第２の長さは第２の通路内を通ってデッド（末）端の外に出る。
【０００９】
第１の通路は、中を通るロープの第１の長さの断面にほぼ一定の力を加える。同様に、第２の通路は、ロープの第２の長さの断面にほぼ一定の力を加える。ロープは、ソケット−くさびが組み合わさってできる内部に固定され、この組立体（assembly：組合せ体）はロープの断面にほぼ均一の力をかけるため、機械的な故障の可能性が減る。アラミド系ロープは、ロープの長軸に沿って圧縮時に過度の変化を受ける場合、機械的に故障しやすい。本発明のロープに加えられる均一な力により、かかる故障の発生を最小限にとどめられる。さらなる改良において、くさびの小端は、周溝に沿って横部分および小端間に丸み縁を有し、小端は、通路の前部開口の外に延びる。丸み縁は、この接合点のロープが受ける圧縮力の変化を低減するのにも用いられる。
【００１０】
ソケットは、エレベータ昇降路内の固定点に終端装置を取り付ける締結具を有する。好適な一実施形態では、締結具は、ソケットに取り付けられる支持ロッドである。
【００１１】
［詳細な説明］
図１は、エレベータシステム１０の図である。当該システムは、かご２０、釣り合い錘３０、およびトラクション駆動シーブ４０を備える。かごと釣り合い錘は、駆動シーブ４０、ならびに、かご２０および釣り合い錘３０の上方にそれぞれ位置するシーブ５０および５５に掛かる引張部材又はロープ６０により互いに接続される。ロープ６０の端は、ロープ終端装置８０および８５により昇降路の頂部に取り付けられる。
【００１２】
図１に示したロープ６０は、アラミド系ロープから成ることが好ましい。適したアラミド材料は、Ｋｅｖｌａｒ（商標）アラミド繊維（E.I. du Pont De Nemours and Company製）を含む。終端装置８０および８５を用いて、しっかりと安全な方法でアラミド系ロープを終端させる。
【００１３】
図２Ａは、本発明のロープ終端装置８０の組立体の斜視図を示す。図２Ｂは、同じ装置の平面図を示す。当該装置は、ロープ６０が巻き付けられるくさび１００を収容することが可能なソケット９０を備える。
【００１４】
ソケット９０は、後部開口９７から前部開口９３にかけて延びる長手方向内部通路を有する。通路は、第１および第２の半円筒状ロープ係合面１１０および１１０’と横壁１３５および１３５’により画定される（図４Ｂおよび図４Ｃを参照）。
【００１５】
図３Ａおよび図３Ｂに示すように、くさび１００は、大端６５、小端６６、ならびに第１および第２の直線部６３および６７を有する。くさびは周溝１０３も含み、この周溝は、図３Ｃにより良く示すように、ロープ外周の部分１０１に沿ってロープ６０を受け入れる。周溝１０３は可変の曲率半径を有する。
【００１６】
図４Ａ〜図４Ｃを参照すると、ソケットの第１および第２の半円筒状ロープ係合面１１０および１１０’はそれぞれ一定の曲率半径を有する。第１の半円筒状ロープ係合面１１０とくさびの第１の直線部６３が、ほぼ長円形の断面を有する第１の通路１１３を画定する。同様に、第２の半円筒状ロープ係合面１１０’と第２の直線部６７が、同様にほぼ長円形の断面を有する第２の通路１０７を画定する。
【００１７】
図４Ａに示すように、ロープ６０は、ライブ（接続）端１４０から通されるロープの第１の長さ１６１が第１の通路１１３内を通るように終端装置９０内に挿入される。次に、ロープ６０はくさび１００の大端６５の周りでループとなり、ロープの第２の長さ１６３が第２の通路１０７内を通ってソケットの前端９３から出てデッド（末）端１４３となる。くさび１００がソケット９０の通路内に固定されると、第１の通路１１３が、中を通るロープの第１の長さ１６１の断面に均一な圧縮力をかける。第２の通路１０７もまた、中を通るロープの第２の長さ１６３の断面に均一な圧縮力をかける。第１の通路１１３および第２の通路１０７でのロープにかかる均一な力は、ロープ６０を効果的に所定位置に固定するが、これら通路では、内部に収容されているロープ長さの断面に任意の実質的なスパイク（spikes）または種々の圧縮力は生じない。
【００１８】
本発明を、特定の実施形態を参照して詳細に示し説明してきたが、本発明の精神および範囲から逸脱せずに形態および細部の種々の変更を行うことができることを当業者は理解するであろう。
【図面の簡単な説明】
【００１９】
【図１】本発明による終端装置を有する、典型的なトラクションエレベータシステムの図であり、当該システムの種々の構成部材の相互接続を示す。
【図２Ａ】本発明のロープ終端装置の斜視図であり、ソケットおよびくさび、ならびにその内部に挿入されたロープを示す。
【図２Ｂ】図２Ａに示した装置の平面図である。
【図３Ａ】本発明によるくさびの平面図である。
【図３Ｂ】本発明による周溝の種々の部分を示すくさびの斜視図である。
【図３Ｃ】図３Ｂの線３Ｃ−３Ｃに沿ったくさびの周溝およびその中を通るロープの断面である。
【図４Ａ】本発明のロープ終端装置の拡大図である。
【図４Ｂ】図４Ａの線４Ｂ−４Ｂに沿ったソケットおよびくさびの断面図である。
【図４Ｃ】図４Ａの線４Ｃ−４Ｃに沿ったソケットおよびくさびの断面図である。
【図１】
2006515553.tif 000003
2006515553.tif 000004
2006515553.tif 000005
2006515553.tif 000006
【国際調査報告】
2006515553.tif 000007
2006515553.tif 000008
2006515553.tif 000009